(57)【要約】【課題】一般的に浴室の天井に設置されている温圧制御装置までミスト給湯配管とミスト給水配管を配管しなければならない【解決手段】貯湯タンク７のお湯を給湯機側に設けたミスト温度制御手段がミスト混合弁１３を制御してミスト温度センサ１５で検出する温度が適温になるよう予め水と混合してミスト端末２に給湯するので、ミスト端末２側に混合弁等のミスト温度制御手段を持つ必要がなく、またミスト端末２への配管もミスト給湯配管１本で済むので、浴室の天井裏に設置するのが一般的なミスト端末の工事性が格段に向上する。【選択図】図１
2008286418.tif 000002
【特許請求の範囲】
【請求項１】
貯湯タンクと、前記貯湯タンクに水を給水する給水配管と、前記貯湯タンクの水を所定温度に沸き上げる沸き上げ手段と、前記沸き上げ手段により沸き上げられた貯湯タンクのお湯を取り出す給湯配管と、前記給湯配管からのお湯と前記給水配管からの水を混合するミスト混合弁と、浴室に温水を霧状にして散布するミスト端末と、前記ミスト混合弁で混合されたお湯を前記ミスト端末に給湯するミスト給湯配管と、前記ミスト給湯配管の前記ミスト混合弁側に設けられたミスト温度センサと、前記ミスト温度センサの温度が目標温度になるよう前記ミスト混合弁を制御するとともにミスト端末からの情報で目標温度に補正を加えるミスト湯温制御手段と、ミスト端末とミスト湯温制御手段の間で情報を伝える通信手段とを備え、前記ミスト湯温制御手段はあらかじめ複数の目標温度を保持し、前記ミスト端末は通信手段を介して目標温度を選択できるようにし、前記通信手段は２線で構成したことを特徴とする貯湯式給湯機。
【請求項２】
通信手段は、ミスト端末側から貯湯式給湯機側へパルス信号を送ることで通信を行い、貯湯式給湯機側はパルスが受信できない場合には所定の安全動作をおこなうことを特徴とする請求項１に記載の貯湯式給湯機。
【請求項３】
目標温度は、パルス信号の周期に応じて選択するように構成したことを特徴とする請求項２に記載の貯湯式給湯機。
【請求項４】
目標温度は、パルス信号の組合せに応じて選択するように構成したことを特徴とする請求項２に記載の貯湯式給湯機。
【請求項５】
所定の安全動作は、ミスト湯温制御手段の目標温度を水とすることを特徴とする請求項２〜４のいずれか１項に記載の貯湯式給湯機。
【発明の詳細な説明】
【技術分野】
【０００１】
本発明は、ミスト発生装置に接続可能な貯湯式給湯機に関するものである。
【背景技術】
【０００２】
従来、この種のミスト機能がついた貯湯式給湯機は一般の給湯器とミスト端末を組み合わせて使用するのが一般的で、給湯器から高温のお湯をミスト端末から浴室に噴霧してミストサウナを実現している。
【０００３】
また、さらに快適性を追求するために給湯機からの高温のお湯と給水配管からの水をミスト端末側で混合して最適温度のミスト噴霧を行うようにしている。（例えば、特許文献１参照）。
【０００４】
図５は、特許文献１に記載された従来のミスト機能付貯湯式給湯機とミスト端末の設置構成を示すものである。また図６は図５に示しているミスト機能付貯湯式給湯機、ミスト端末等の機能構成を示すものである。図５に示すように、ヒートポンプ給湯器１０１と、ミスト端末（ミスト発生装置）１０２と、ミスト端末１０２に供給する温水の温度及び給湯圧を制御する温圧制御装置１０３と（本発明の特徴を表すのに適した範囲で示す）から構成されている。また、図５に示すように温圧制御装置１０３に内蔵された混合弁１０４によってミスト給湯配管１０５からのお湯とミスト給水配管１０６からの水を混合して適温のお湯をミスト端末１０２に供給するようになっている。
【特許文献１】特開２００６−３２２６９３号公報
【発明の開示】
【発明が解決しようとする課題】
【０００５】
前記従来の構成では、湯と水とを混合した後に、さらにミスト発生装置の直前で水を混合する構成となっているため、ミスト発生装置から噴出される湯を適温に保持することが可能となっている。しかしながら、図５に示すように、前記従来の構成でミスト発生装置を実現する場合には、一般的に浴室の天井に温圧制御装置１０３を取り付けなければならず、さらに、温圧制御装置までミスト給水配管１０６を配管しなければならないため、設備が大型化してしまうという課題を有していた。
【０００６】
本発明は、前記従来の課題を解決するもので、設備を大型化させることなく、ミスト機能を実現した貯湯式給湯機を提供することを目的とする。
【課題を解決するための手段】
【０００７】
前記従来の課題を解決するために、本発明の貯湯式給湯機は、貯湯タンクと、前記貯湯タンクに水を給水する給水配管と、前記貯湯タンクの水を所定温度に沸き上げる沸き上げ手段と、前記沸き上げ手段により沸き上げられた貯湯タンクのお湯を取り出す給湯配管と、前記給湯配管からのお湯と前記給水配管からの水を混合するミスト混合弁と、浴室に温水を霧状にして散布するミスト端末と、前記ミスト混合弁で混合されたお湯を前記ミスト端末に給湯するミスト給湯配管と、前記ミスト給湯配管の前記ミスト混合弁側に設けられたミスト温度センサと、前記ミスト温度センサの温度が目標温度になるよう前記ミスト混合弁を制御するとともにミスト端末からの情報で目標温度に補正を加えるミスト湯温制御手段と、ミスト端末とミスト湯温制御手段の間で情報を伝える通信手段とを備え、前記ミスト湯温制御手段はあらかじめ複数の目標温度を保持し、前記ミスト端末は通信手段を介して目標温度を選択できるようにし、前記通信手段は２線で構成したことを特徴とするものである。
【０００８】
これにより、ミスト混合弁からミスト端末までの配管において、湯を供給している最中に放熱による温度低下が発生したとしても、ミスト端末からの温度情報に基づいてミスト混合弁で混合する湯の温度を選択するため、ミスト端末から適温の湯をミスト状に噴出することができるとともに、通信手段が２線で構成されているので簡単な通信手順で必要な情報を送信することができる。
【発明の効果】
【０００９】
本発明の貯湯式給湯機は、設備を大型化させることなく、ミスト機能を実現した貯湯式給湯機を提供することができる。
【発明を実施するための最良の形態】
【００１０】
第１の発明の貯湯式給湯機は、貯湯タンクと、前記貯湯タンクに水を給水する給水配管と、前記貯湯タンクの水を所定温度に沸き上げる沸き上げ手段と、前記沸き上げ手段により沸き上げられた貯湯タンクのお湯を取り出す給湯配管と、前記給湯配管からのお湯と前記給水配管からの水を混合するミスト混合弁と、浴室に温水を霧状にして散布するミスト端末と、前記ミスト混合弁で混合されたお湯を前記ミスト端末に給湯するミスト給湯配管と、前記ミスト給湯配管の前記ミスト混合弁側に設けられたミスト温度センサと、前記ミスト温度センサの温度が目標温度になるよう前記ミスト混合弁を制御するとともにミスト端末からの情報で目標温度に補正を加えるミスト湯温制御手段と、ミスト端末とミスト湯温制御手段の間で情報を伝える通信手段とを備え、前記ミスト湯温制御手段はあらかじめ複数の目標温度を保持し、前記ミスト端末は通信手段を介して目標温度を選択できるようにし、前記通信手段は２線で構成したことにより、ミスト端末側に混合弁等のミスト温度の最適化手段を設ける必要がなく、ミスト端末までの配管をミスト給湯配管１本で構成することとなり、工事の困難な浴室天井裏でのミスト端末の設置工事を大幅に簡略化することで省施工化をはかることができるとともに、ミスト混合弁からミスト端末までの配管において、湯を供給している最中に放熱による温度低下が発生したとしても、ミスト端末からの温度情報に基づいてミスト端末からミスト混合弁で混合する湯の温度を選択するため、ミスト端末から適温の湯をミスト状に噴出することができ、さらに、通信手段を２線で構成し簡単な配線で必要な情報を伝達することができる。
【００１１】
第２の発明の貯湯式給湯機は、特に第１の発明において、通信手段は、ミスト端末側から貯湯式給湯機側へパルス信号を送ることで通信を行い、貯湯式給湯機側はパルスが受信できない場合には所定の安全動作をおこなうことにより、信号線が短絡や断線した場合、給湯機側での信号ラインがＨｉ固定またはＬｏ固定となり、所定の安全動作をおこなうこととなり安全を確保することができる。
【００１２】
第３の発明の貯湯式給湯機は、特に第２の発明において、目標温度は、パルス信号の周期に応じて選択するように構成したことにより、目標温度を設定でき、複雑な通信アルゴリズムを使用することなくパルスの周期で必要な情報を伝達することができる。
【００１３】
第４の発明の貯湯式給湯機は、特に第２の発明において、目標温度は、パルス信号の組合せに応じて選択するように構成したこと目標温度を設定でき、複雑な通信アルゴリズムを使用することなくパルスの組合せで必要な情報を伝達することができる。
【００１４】
第５の発明の貯湯式給湯機は、特に第２〜４の発明において、所定の安全動作はミスト湯温制御手段の目標温度を水とすることにより、温度的に最も安全な状態にすることで安全を確保することができる。
【００１５】
以下、本発明の実施の形態について、図面を参照しながら説明する。なお、この実施の
形態によって本発明が限定されるものではない。
【００１６】
（実施の形態１）
図１は、本発明の第１の実施の形態におけるミスト機能付貯湯式給湯機の構成図、図２はミスト端末とミスト湯温制御手段の間で情報を伝える通信手段の回路図、図３は通信手段信号ラインのパルス信号の波形図を示すものである。
【００１７】
図１において、貯湯タンク７に給水配管８より給水し、貯湯タンク７の下部の水を沸上循環ポンプ９で熱源ユニット１０に循環させ、過熱したお湯を三方弁１１を介して貯湯タンク７の上部に戻すように沸き上げ手段を構成している。
【００１８】
熱源ユニット１０はヒートポンプを用いて大気熱を回収し、貯湯タンク７からの循環水と熱交換し加熱するように構成されている。また、熱源ユニット１０が起動直後で循環水を充分加熱できない間は三方弁１１を切り替えて未加熱の循環水を貯湯タンク７の下部に戻すよう構成されている。
【００１９】
沸き上げ手段により加熱され貯湯されたお湯は貯湯タンク７の上部より出湯配管１２を介してミスト混合弁１３で給水配管８からの水と混合され、さらにミスト給湯配管１４を介してミスト端末２に供給される。この時ミスト混合弁１３はミスト温度センサ１５で検出した湯温が所定の目標値になるようミスト温度制御手段によって制御される。
【００２０】
ミスト温度制御手段はミスト混合弁１３を駆動しているステッピングモータに表１に従って駆動出力を出すようになっている。
【００２１】
【表１】
2008286418.tif 000003
【００２２】
次に図２によりミスト端末とミスト湯温制御手段の間で情報を伝える通信手段について説明する。通信ラインはコモンライン１６、信号ライン１７とから構成され、信号ライン１７は抵抗１８でＤＣ電源１９にプルアップされ、またコモンライン１６は受信側で接地されている。
【００２３】
送信側では送信信号２０によってフォトカプラー２１を介して、信号ライン１７とコモ
ンライン１６をそれぞれ短絡するようになっている。つまり、送信信号２０にＨｉが入れば受信信号２２にはＬｏが出力され、反対に送信信号２０にＬｏが入れば受信信号２２にはＨｉが出力される。図３は、信号ライン１７のパルス信号で周期を変えることで、パターンＡとパターンＢを区別している。
【００２４】
次に表２によりミスト温度制御手段の動作について説明する。送信側であるミスト端末２はミスト運転ＯＦＦ時(表２Ｎｏ１)、図３に示すように信号ライン１７には信号を送出されない。このとき受信側であるミスト湯温制御手段は温度制御目標値として水をセットしミスト混合弁１３を水側全開とする。
【００２５】
ミスト運転がＯＮにされるとミスト端末２は(表２Ｎｏ２)信号ライン１７に図３に示すパルスＡを送出する。これに対しミスト温度制御手段は温度制御目標値として４９℃をセットし、ミスト温度センサ１５が温度制御目標値になるよう表１の制御値に従ってミスト混合弁１３を制御する。
【００２６】
ミスト運転中にミスト端末２で検出したミスト湯温が３分間継続して４７℃未満の場合はミスト端末２は(表２Ｎｏ３) 信号ライン１７に図３に示すパルスＢを送出する。これに対しミスト温度制御手段は温度制御目標値として５１℃をセットし、ミスト温度センサ１５が温度制御目標値になるよう表１の制御値に従ってミスト混合弁１３を制御する。
【００２７】
また、ミスト運転中にミスト端末２で検出したミスト湯温が３分間継続して５０℃以上の場合はミスト端末２は(表２Ｎｏ２) 信号ライン１７に図３に示すパルスＡ送出する。これに対しミスト温度制御手段は温度制御目標値として４９℃をセットし、ミスト温度センサ１５が温度制御目標値になるよう表１の制御値に従ってミスト混合弁１３を制御するように構成されている。
さらに、信号ライン１７がＬｏの場合(表２Ｎｏ４)、ミスト温度制御手段はミスト端末接続異常として温度制御目標値を水にセットし、ミスト混合弁１３を水側全開とするように構成されている。
【００２８】
【表２】
2008286418.tif 000004
【００２９】
以上のように構成されたミスト機能付貯湯式給湯機について、以下その動作、作用を説明する。
【００３０】
まず、貯湯タンク７のお湯を給湯機側に設けたミスト温度制御手段がミスト混合弁１３を制御してミスト温度センサ１５で検出する温度が適温になるよう予め水と混合してミスト端末２に給湯するので、ミスト端末２側に混合弁等のミスト温度制御手段を持つ必要がなく、またミスト端末２への配管もミスト給湯配管１本で済むので、浴室の天井裏に設置するのが一般的なミスト端末の工事性が格段に向上する。
【００３１】
また、通信手段を介してミスト温度制御手段の温度制御目標値を変更することができるのでミスト端末２側で湯温を検出し、配管や外気温の影響で適温に達しない場合も、ミスト給湯温度補正することができ最適なミスト性能を実現できる。
【００３２】
さらに、通信手段は２線の信号で複雑な通信アルゴリズムを使用することなく、パルス周期の組み合わせで容易に実現でき、問題のでない安定した動作のミスト機能付貯湯式給湯機を提供することができる。
【００３３】
ミスト機能付貯湯式給湯機側(受信側)で信号ライン１７を抵抗を介してプルアップ、コモンラインを接地し、ミスト端末側(送信側)で各信号ラインとコモンラインをフォトカプラー２１の短絡と開放を繰り返すことでパルス信号出力を実現する、信号ライン１７がＨｉで停止または信号線の断線、信号ライン１７がＬoを受信することで信号線の短絡を検出することができる。
【００３４】
さらにショート異常、断線異常を検出した場合はミスト温度制御手段が温度制御目標値を水にし、ミスト混合弁１３を水全開にすることでミスト端末２に高温のお湯を送ることを防止し、安全を図ることができる。
【００３５】
また、ミスト端末側でも所定温度のお湯が送られてこないことで異常を検出してミスト運転を停止させることができる。
【００３６】
なお、実施の形態として通信手段の回路構成として受信側で通信ラインを抵抗を介してプルアップし、コモンラインを接地して、送信側でスイッチ素子で通信ラインとコモンラインを短絡することで信号を送信する方式を示しているが、受信側で通信ラインを抵抗を介して接地し、コモンラインをプルアップして、送信側でスイッチ素子で通信ラインとコモンラインを短絡することで信号を送信する方式でも信号の論理を反転させることで同様の効果を実現することができる。
【００３７】
また、パルス信号の組合せは２パターンとしているが、２パターン以上にしても良い信号の種類を増やせばよりきめ細かい温度制御が可能となる。
【００３８】
また、図４に示すようなパルス信号の組合せでも同様の効果を実現することができる。
【００３９】
さらに、送信側回路にダイオードブリッジ回路（図示せず）を介してフォトカプラに接続することで、信号線の極性が無くなりコモンと信号ラインを区別せずに接続でき、誤配線の心配が無くなる。
【産業上の利用可能性】
【００４０】
以上のように、本発明にかかるミスト機能付貯湯式給湯機は、ミスト給湯配管を介してミスト端末への給湯が可能となるので、浴室に温水を霧状にして散布するミスト機能を有するミスト機能付貯湯式給湯機等の用途に適用できる。
【図面の簡単な説明】
【００４１】
【図１】本発明の実施の形態１におけるミスト機能付貯湯式給湯機の構成図
【図２】本発明の実施の形態１におけるミスト端末とミスト湯温制御手段の間で情報を伝える通信手段の回路図
【図３】本発明の実施の形態１における通信手段信号ラインのパルス信号の波形図
【図４】本発明の実施の形態１における通信手段信号ラインのパルス信号の波形図
【図５】従来のミスト機能付貯湯式給湯機の設置構成図
【図６】従来のミスト機能付貯湯式給湯機の機能構成図
【符号の説明】
【００４２】
２  ミスト端末
７  貯湯タンク
８  給水配管
９  沸上循環ポンプ
１０  熱源ユニット
１１  三方弁
１２  出湯配管
１３  ミスト混合弁
１４  ミスト給湯配管
１５  ミスト温度センサ
１６  コモンライン
１７  信号ライン
１８  抵抗
１９  ＤＣ電源
２０  送信信号
２１  フォトカプラー
２２  受信信号
【図１】
2008286418.tif 000005
【図２】
2008286418.tif 000006
【図３】
2008286418.tif 000007
【図４】
2008286418.tif 000008
【図５】
2008286418.tif 000009
【図６】
2008286418.tif 000010